(57)【要約】【課題】  記録再生等の機能に加えて、放送波受信機能を備え、これらの機能を制御するメイン電子回路の影響により受信機能に影響を与えることなく良好に放送波を受信する。【解決手段】  メイン電子回路１０と、受信用の基準周波数信号を生成する基準信号生成部２１と、基準信号生成部２１で生成された受信用の基準周波数信号に基づいて放送信号を受信する受信部２０と、メイン電子回路１０の動作クロックである第１のメインクロックＸ１を生成する第１のクロック回路１１と、受信用の基準周波数信号に基づいて、メイン電子回路１０の動作クロックである第２のメインクロックＸ２を生成する第２のクロック回路２４とを備え、メイン電子回路１０は、状況に応じて第１又は第２のメインクロックを切り換える。【選択図】  図１
2007067577.tif 000002
【特許請求の範囲】
【請求項１】
メイン電子回路と、
受信用の基準周波数信号を生成する基準信号生成部と、
上記基準信号生成部で生成された上記受信用の基準周波数信号に基づいて放送信号を受信する受信部と、
上記メイン電子回路の動作クロックである第１のメインクロックを生成する第１のクロック回路と、
上記受信用の基準周波数信号に基づいて、上記メイン電子回路の動作クロックである第２のメインクロックを生成する第２のクロック回路とを備え、
上記メイン電子回路は、状況に応じて第１又は第２のメインクロックを切り換える放送波受信機能付き電子機器。
【請求項２】
上記メイン電子回路からの信号に基づいて記録媒体に対して記録及び／又は再生を行う記録及び／又は再生部を有する請求項１記載の放送波受信機能付き電子機器。
【請求項３】
上記記録及び／又は再生部により再生される音声情報及び上記受信部により受信された音声情報を出力する音声情報出力部を有し、
上記メイン電子回路は、上記受信部の受信時且つ上記音声情報出力部の音量の調整時に上記第２のメインクロックを用いる請求項２記載の放送波受信機能付き電子機器。
【請求項４】
第２のクロック回路は、上記受信用の基準周波数信号を逓倍又は分周することで上記第２のメインクロックを生成する請求項１記載の放送波受信機能付き電子機器。
【請求項５】
上記第１のメインクロックと上記第２のクロック回路における逓倍又は分周する際の係数とは、以下の式（１）を満たすことを特徴とする請求項４記載の放送波受信機能付き電子機器。
ｆ２ｍｉｎ  ＜  Ｘ１／ｎ  ＜  ｆ２ｍａｘ  ・・・（１）
但し、
ｆ２ｍｉｎ：基準周波数信号を得るための発信周波数の最小値、
ｆ２ｍａｘ：基準周波数信号を得るための発信周波数の最大値、
Ｘ１：第１のメインクロック、
ｎ：第２のクロック回路が受信用の基準周波数信号を逓倍又は分周する際の係数
である。
【発明の詳細な説明】
【技術分野】
【０００１】
本発明は、記録再生機能等の機能に加えて、放送波受信機能を有する放送波受信機能付き電子機器に関する。
【背景技術】
【０００２】
従来、ＣＤ、ＭＤ（ミニディスク）等に対して記録及び／又は再生を行う電子機器や携帯電話の様な小型な電子機器にラジオ受信機能を内蔵させた場合、操作系のコントロールマイコンとチューナーのＰＬＬの間は、何らかの方法で常時通信を行っている必要があるが、コントロールマイコン側のクロック周波数が処理スピードを上げるためにＭＨｚ以上の高い周波数を使用する場合、ラジオ受信時に、そのクロックの高調波や分周周波数が、受信帯域やＩＦ周波数にノイズとして飛びつき、放送受信の妨げになる等の問題があった。
【０００３】
そこで、かかる電子機器では、通常はラジオ受信中であっても、別の操作釦が押された時は、ミューティングをかけて、その間にいろいろな情報処理を行うことにより、ノイズ等の問題を解決していた。
【０００４】
しかしながら、ミューティングを掛けられない状況下や周波数のスキャン中では、上述のノイズやスプリヤスの問題を解消することができなかった。
【０００５】
具体的には、上述のような電子機器において、ラジオ受信中に、定期的にコントロールマイコンがＰＬＬの状態を見に行く時のクロックによる通信ノイズがアンテナ（ＡＮＴ）やＩＦ信号に飛び込む等の問題、さらには、ラジオ受信中にボリュームのアップ／ダウン等の音量調整を行うと、その時のクロックによる通信ノイズがアンテナやＩＦ信号に飛び込んでしまったり、オートスキャン（ジャストチューン）中にノイズやスプリアスの影響で放送に関係の無い周波数で勝手にスキャンが止まってしまう等の問題があった。
【０００６】
また、上述の電子機器において、ＭＨｚ帯でメインクロックを発振させておくと、全バンドで、クロックの高調波や分周ノイズの影響を受けてしまい、放送が聞きづらい等の問題が発生してしまう。特に、アンテナとマイコンとの物理的距離が近接しているほど、マイコンからの輻射ノイズにより、その影響の度合いが大きくなってしまう等の問題があった。
【発明の開示】
【発明が解決しようとする課題】
【０００７】
本発明の目的は、記録再生等の機能に加えて、放送波受信機能を備え、これらの機能を制御するメイン電子回路の影響により、受信機能に影響を与えることなく良好に放送波を受信することができる放送波受信機能付き電子機器を提供することにある。
【課題を解決するための手段】
【０００８】
この目的を達成するため、本発明に係る放送波受信機能付き電子機器は、メイン電子回路と、受信用の基準周波数信号を生成する基準信号生成部と、上記基準信号生成部で生成された上記受信用の基準周波数信号に基づいて放送信号を受信する受信部と、上記メイン電子回路の動作クロックである第１のメインクロックを生成する第１のクロック回路と、上記受信用の基準周波数信号に基づいて、上記メイン電子回路の動作クロックである第２のメインクロックを生成する第２のクロック回路とを備え、上記メイン電子回路は、状況に応じて第１又は第２のメインクロックを切り換える。
【発明の効果】
【０００９】
本発明に係る放送波受信機能付き電子機器は、メイン電子回路のクロックの影響による受信部により受信される放送信号にノイズが発生してしまうことを防止して、記録再生等の機能に加え、放送波を受信する機能を良好に行うことを可能とする。
【発明を実施するための最良の形態】
【００１０】
以下、本発明を適用した放送波受信機能付き電子機器について、図面を参照して説明する。特に以下では、本発明に係る放送波受信機能付き電子機器を適用した電子機器として、例えば、ＭＷ、ＦＭ、ＴＶの放送波を受信する３バンドモデルの放送波受信機能と、記録媒体であるＭＤに対して記録及び／又は再生を行う記録再生機能とを有する電子機器１について説明する。
【００１１】
電子機器１は、図１に示すように、電子機器１が有する記録再生機能、受信機能等を制御するメイン電子回路１０と、メイン電子回路１０に制御され、受信部２０の受信用の基準周波数信号を生成する基準信号生成部としてＰＬＬ（Phase Locked Loop）２１と、この受信用の基準周波数信号に基づいてＭＷ、ＦＭ、ＴＶ等の放送波を選択して受信する受信機能を有する受信部２０と、メイン電子回路１０の動作クロックである第１のメインクロックＸ１を生成する第１のクロック回路１１と、受信用の基準周波数信号に基づいて、メイン電子回路１０の動作クロックである第２のメインクロックＸ２を生成する第２のクロック回路２２と、ＰＬＬ２１のためのクロックを生成する第３のクロック回路２４とを備える。
【００１２】
また、電子機器１は、メイン電子回路１０に制御され、記録媒体であるＭＤに対して情報の記録及び／又は再生を行う記録再生機能を有する記録再生部３０を有する。この記録再生部３０は、記録媒体であるＭＤを回転駆動させるスピンドルモータと、ＭＤに対してレーザ光を出射するレーザダイオード、偏光ビームスプリッタ、２軸機構によりディスク半径方向及び接離方向に変位可能に保持される対物レンズ、ディテクタ等の光学系を有しスレッド機構により半径方向に移動可能とされた光学ヘッドと、供給されたデータによって変調された磁界をＭＤに印加する磁気ヘッドと、これらのスピンドルモータ、光学ヘッド、磁気ヘッド等を駆動するドライバとを備える。
【００１３】
さらに、電子機器１は、所定の操作を入力するための操作部１２と、放送波からの情報、及び、ＭＤに記録された情報を表示するための表示部（ＬＣＤ）１３と、受信部により受信された放送波からの音声情報、及び、記録再生部３０により再生されたＭＤに記録された音声情報を出力するための音声情報出力部としてスピーカ１４とを備える。ここで、表示部１３には、電子機器１の各動作に関連した表示、例えば、ＭＤの総演奏時間、再生時、録音時等の進行時間等の時間情報や、トラックナンバ、動作状態、動作モード等の各種の情報や、放送受信時の受信中のバンド及び放送局の受信周波数等の情報が表示される。尚、ここでは、音声情報出力部としてスピーカ１４を用いるように構成したが、これに限られるものではなく、音声情報を出力できる構成であればよく、例えば、ヘッドホンやイヤホン等であってもよい。
【００１４】
メイン電子回路１０は、記録再生機能又は受信機能の使用状況等に応じて、第１のメインクロックＸ１と、第２のメインクロックＸ２とを切り換えて、演算、動作、通信処理等を行う。
【００１５】
受信部２０は、放送波を受信するアンテナ部２３と、アンテナ部２３で受信された放送波としての高周波を増幅する増幅回路と、ミキサ回路、フィルタ、ＩＦアンプ、検波回路等を有する処理部とを備える。受信部２０は、ＰＬＬ２１で生成される受信用の基準周波数信号に基づいて、対応した放送波を受信して、音声信号を出力する。
【００１６】
ＰＬＬ２１は、回路内に電圧制御発振器（ＶＣＯ（Voltage Controlled Osillator））を有し、チューナ用すなわち受信用の基準周波数信号を生成する。ＰＬＬ２１は、メイン電子回路１０の制御に応じて、選局すべき放送波の受信周波数に対応して基準周波数を設定し、ＰＬＬ２１がロックした状態では、電圧制御発振器の発振出力が受信周波数に対応した周波数で固定されるよう動作する。例えば、ＰＬＬ２１は、電圧制御発振器の発振周波数ｆＶＣＯを分周することで受信用の基準周波数信号ｆ１を生成する。
【００１７】
第２のクロック回路２２は、ＰＬＬ２１で生成された受信用の基準周波数信号を生成するための電圧制御発振器の発振周波数ｆＶＣＯに基づいて、この受信用の基準周波数信号を生成するための電圧制御発振器の発振周波数ｆＶＣＯを逓倍又は分周処理してｆ２を得ることでメイン電子回路の動作クロックである第２のメインクロックＸ２を生成する。すなわち、第２のクロック回路２２は、受信用の基準周波数信号を得るための電圧制御発振器の発振周波数ｆＶＣＯとし、逓倍又は分周処理するための係数をｎとしたとき、次式（１）により第２のメインクロックＸ２を生成することができる。
Ｘ２＝ｆ２＝ｆＶＣＯ×ｎ  ・・・  （１）
この第２のクロック回路２２で逓倍又は分周する際の係数ｎ及びＰＬＬ２１の電圧制御発振器の発振周波数ｆＶＣＯと、第１のメインクロックＸ１との間に次式（２）の関係が満たすようにされている。尚、式（２）中において、ＰＬＬ２１で生成される受信用の基準周波数信号を得るための電圧制御発振器の発信周波数ｆＶＣＯの最小値をｆ２ｍｉｎとし、最大値をｆ２ｍａｘとする。
ｆ２ｍｉｎ＜（Ｘ１／ｎ）＜ｆ２ｍａｘ  ・・・（２）
そして、第２のメインクロックＸ２を得るための電圧制御発振器の発振周波数ｆＶＣＯを逓倍又は分周処理して得られるｆ２と、第１のメインクロックＸ１との間には、次式（３）の関係が満たすようにされている。この式（３）は、動作条件と、表示部１３の表示やビープ（ＢＥＥＰ）音等の人間の視聴覚の関係とから設定されるものである。
（Ｘ１／１．５）＜ｆ２＜（Ｘ１×１．５）  ・・・（３）
第３のクロック回路２４で生成されるＰＬＬ２１のためのクロックＸ３は、メイン電子回路１０のサブクロックとして供給されて、操作部１２の操作キーが押されたことを認識するための「キー認識」等に用いられる。尚、このクロックＸ３は、電圧制御発振器の発振周波数ｆＶＣＯを分周することにより生成するように構成しても良い。
【００１８】
以上のように構成された電子機器１は、操作された操作部１２からの信号を受けたメイン電子回路１０により、受信機能又は記録再生機能が選択されて、受信機能が選択された場合には、受信部２０を作動させて放送信号を受信してスピーカ１４から出力させ、表示部１３に選択した動作に関連した表示をさせ、記録再生機能が選択された場合には、記録再生部３０を制御してＭＤに対して情報の記録又は再生を行うとともに、表示部１３に選択した動作に関連した表示をさせる。
【００１９】
ここで、メイン電子回路１０の第１又は第２のメインクロックＸ１，Ｘ２を切り換える状況について詳細に説明する。
【００２０】
まず、電子機器１のセットオフ状態について説明する。
【００２１】
セットオフ状態では、メイン電子回路１０のサブクロックＸ３を常時オンとさせておいて、操作部１２のいずれかの操作キーが操作されたとき、まずサブクロックＸ３にて「キー認識」を行う。尚、ここで、全てのクロックを停止させておき、操作部のいずれかの操作キーが操作されたとき、ウェイクアップ回路を立ち上げるように構成して、その次に第１のメインクロックを起動させて「キー認識」を行うように構成してもよい。また、セットオフ状態において、時計表示を行う場合は、発振周波数が固定されている第１のメインクロックＸ１又はサブクロックＸ３が用いられる。
【００２２】
次に、放送波受信以外の動作、すなわち、記録再生部３０を動作するときの状態について説明する。
【００２３】
ＭＤに対して情報の記録又は再生を行うときには、メイン電子回路１０は、第１のメインクロックＸ１を使用して、全ての演算、動作、通信処理等を行う。
【００２４】
次に、セットオフ状態又は他のモードから放送波受信に切替えた場合について説明する。
【００２５】
上述したセットオフ状態から、操作部１２の「ラジオオン」の操作キーが操作されたとき、最初の「キー認識」は、第１のメインクロックＸ１でメイン電子回路１０の処理が行われる。尚、操作部１２の「バンドオン」の操作キーが操作されることで直接立ち上げるような場合も同様である。受信部２０が動作した事をメイン電子回路１０が認識した後は、メイン電子回路１０のクロックは、第１のメインクロックＸ１から第２のメインクロックＸ２に切り替わる。また、他のモードから、操作部１２の「ラジオオン」の操作キーが操作された時も、最初の処理は、第１のメインクロックＸ１でメイン電子回路１０の処理が行われ、同じく受信部２０が動作した事をメイン電子回路１０が認識した後は、メイン電子回路１０のクロックは、第１のメインクロックＸ１から第２のメインクロックＸ２に切り替わる。
【００２６】
次に、放送波受信中の動作クロックについて説明する。
【００２７】
放送波受信中においては、他のモードで使用される第１のメインクロックＸ１から第２のメインクロックＸ２に切り換えてメイン電子回路１０が処理を行う。すなわち、ＰＬＬ２１とメイン電子回路１０との通信処理は、第２のメインクロックＸ２を用いて行われる。
【００２８】
この状態で、操作部１２の「音量調節ｕｐ／ｄｏｗｎ」の操作キーが操作されると、第２のメインクロックＸ２の状態のままメイン電子回路１０の処理が行われる。
【００２９】
第２のメインクロックＸ２は、ＰＬＬ２１の電圧制御発振器により生成された発振周波数ｆＶＣＯを第２のクロック回路２２で分周又は逓倍されることにより生成されており、この第２のメインクロックＸ２を使用している状態では、ノイズ妨害を受ける周波数関係から外れているので、メイン電子回路１０から受信部２０、アンテナ部２３のノイズを回避できる。また、オートスキャンやオートメモリースキャン時も上述したのと同じ理由から動作クロックとして、第２のメインクロックＸ２を使用して行なうことにより、メイン電子回路１０からのノイズやスプリアスからの影響を回避することができる。
【００３０】
このとき、メイン電子回路１０で第２のメインクロックＸ２を使用したときは、第１のメインクロックＸ１を用いるときに比べて、処理時間に多少の変動が発生するが、基本動作に大きな影響を与えることなく、許容範囲内で処理することができる。
【００３１】
すなわち、受信部の受信時且つスピーカ１４の音量の調整時にメイン電子回路１０が第２のメインクロックＸ２を用いることで、受信される放送信号にノイズが発生してしまうことを防止することができる。
【００３２】
更に、通常の放送受信中においては、メイン電子回路１０とＰＬＬ２１との間では周期的に情報のやり取りを行なっており、この時の動作クロックを第２のメインクロックＸ２で行う事により、上述したのと同様に、通信中のクロックノイズから開放され、この影響を受けることなく良好に放送波を受信できる。
【００３３】
また、放送受信中にミューティングがかけられるような、操作部１２の「バンド切替」、「プリセット切替」、「周波数ｕｐ／ｄｏｗｎ切替」又は「プリセット周波数の削除／書き換え」の操作キーが操作されたときも、メイン電子回路１０のクロックを第２のメインクロックＸ２のままで行ってもよいし、第２のメインクロックＸ２から第１のメインクロックＸ１に切り替えて動作処理を行ってもよい。但し、第１のメインクロックＸ１に切り替えて動作処理を行う場合は、ミューティング時間内に全ての処理を終了させ、また元の第２のメインクロックＸ２に戻して以降の動作処理を行うこととなる。
【００３４】
次に、ＰＬＬ２１の電圧制御発振器の発振周波数ｆＶＣＯを逓倍又は分周して得られる第２のメインクロックＸ２について詳細に説明する。
【００３５】
まず、以下に、放送波として、３バンドモデルの例の受信周波数について示す。
ＭＷ                        ：          ５３０〜１７１０      ｋＨｚ
ＦＭ（ＴＶ−ｌｏｗも含む）  ：      ５９．７５〜１０８．０    ＭＨｚ
ＴＶ（ＴＶ−Ｈｉｇｈ・ＣＨ）  ：  １７９．７５〜２１５．７５  ＭＨｚ
次に、ＰＬＬ２１の電圧制御発振器における発振周波数ｆＶＣＯを以下に示す。
ＭＷ  ：                              １１５０〜３５１０      ｋＨｚ
ＦＭ（ＴＶ−ｌｏｗも含む）  ：    １１９．８５〜２１６．３５  ＭＨｚ
ＴＶ（ＴＶ−Ｈｉｇｈ・ＣＨ）  ：  １５９．６２〜１９１．６２  ＭＨｚ
尚、上述の電圧制御発振器の発振周波数ｆＶＣＯの算出のための関係式を以下に示す。尚、式（４）は、ＭＷの場合を示すものであり、式（５）は、ＦＭの場合を示すものであり、式（６）は、ＴＶの場合を示すものである。
【００３６】
ｆＶＣＯ１  ＝  （ｆＭＷ  ＋  ｆＩＦ１）×２  （ｋＨｚ）  ・・・（４）
ｆＶＣＯ２  ＝  （ｆＦＭ  ＋  ｆＩＦ２）×２  （ｋＨｚ）  ・・・（５）
ｆＶＣＯ３  ＝  （ｆＴＶ  ＋  ｆＩＦ３）×８／９  （ｋＨｚ）  ・・・（６）
尚、上述の式（４）、（５）、（６）において、
ｆＭＷ：ＭＷの場合の受信周波数、
ｆＦＭ：ＦＭの場合の受信周波数、
ｆＴＶ：ＴＶの場合の受信周波数、
ｆＩＦ１：ＭＷの場合の中間周波数、
ｆＩＦ２：ＦＭの場合の中間周波数、
ｆＩＦ３：ＴＶの場合の中間周波数、
ｆＶＣＯ１：ＭＷの場合の電圧制御発振器の発振周波数、
ｆＶＣＯ２：ＦＭの場合の電圧制御発振器の発振周波数、
ｆＶＣＯ３：ＴＶの場合の電圧制御発振器の発振周波数、
とする。
【００３７】
また、上述のｆＩＦ１は、４５ｋＨｚのＩＣ、ｆＩＦ２、ｆＩＦ３は、０．１７５ＭＨｚのＩＣを使用した。
【００３８】
この場合において、第１のメインクロックＸ１を約５ＭＨｚとした場合の、第２のクロック回路２２における分周又は逓倍処理は、以下の式（７）〜式（１０）のように行われる。
ＭＷ−１（９００ｋＨｚ未満の部分）：ｆ２１１＝ｆＶＣＯ１×（２×２）  ・・・（７）
ＭＷ−２（９００ｋＨｚ以上の場合）：ｆ２１２＝ｆＶＣＯ１×２    ・・・（８）
ＦＭ                            ：ｆ２２０＝ｆＶＣＯ２／３２  ・・・（９）
ＴＶ                            ：ｆ２３０＝ｆＶＣＯ３／３２  ・・・（１０）
すなわち、第２のクロック回路における逓倍又は分周するための上述した式（１）における係数ｎは、ＭＷ−１のとき４であり、ＭＷ−２のとき２であり、ＦＭのとき１／３２であり、ＴＶのとき１／３２である。
【００３９】
よって、第２のメインクロックＸ２の範囲を示すｆ２１１，ｆ２１２，ｆ２２０，ｆ２３０は、それぞれ、
ｆ２１１＝４．６０〜７．４８ＭＨｚ、
ｆ２１２＝３．７８〜７．０２ＭＨｚ、
ｆ２２０＝３．７５〜６．７６ＭＨｚ、
ｆ２３０＝４．９９〜５．９９ＭＨｚ
とすることができ、最大でも７．４８ＭＨｚ、最小でも３．７５ＭＨｚであり、第２のメインクロックＸ２をメイン電子回路１０の処理に支障を来さない範囲に抑えることができる。
【００４０】
次に、同様の場合において、第１のメインクロックＸ１を約１０ＭＨｚとした場合の、第２のクロック回路２２における分周又は逓倍処理は、以下の式（１１）〜式（１４）のように行われる。
ＭＷ−１（９００ｋＨｚ未満の部分）：ｆ２１３＝ｆＶＣＯ１×（２×２×２）  ・・・（１１）
ＭＷ−２（９００ｋＨｚ以上の場合）：ｆ２１４＝ｆＶＣＯ１×（２×２）  ・・・（１２）
ＦＭ                            ：ｆ２２３＝ｆＶＣＯ２／１６  ・・・（１３）
ＴＶ                            ：ｆ２３３＝ｆＶＣＯ３／１６  ・・・（１４）
すなわち、第２のクロック回路における逓倍又は分周するための上述した式（１）における係数ｎは、ＭＷ−１のとき８であり、ＭＷ−２のとき４であり、ＦＭのとき１／１６であり、ＴＶのとき１／１６である。
【００４１】
よって、第２のメインクロックＸ２の範囲を示すｆ２１３，ｆ２１４，ｆ２２３，ｆ２３３は、それぞれ、
ｆ２１３＝９．２０〜１４．９６ＭＨｚ、
ｆ２１４＝７．５６〜１４．０４ＭＨｚ、
ｆ２２３＝７．４９〜１３．５２ＭＨｚ、
ｆ２３３＝９．９８〜１１．９８ＭＨｚ
とすることができ、最大でも１４．５６ＭＨｚ、最小でも７．４９ＭＨｚであり、第２のメインクロックＸ２をメイン電子回路１０の処理に支障を来さない範囲に抑えることができる。
【００４２】
次に、第１及び第２のメインクロックＸ１，Ｘ２を切り換えて用いることで、妨害ノイズから逃げられることについて図２（ａ）、図２（ｂ）及び図２（ｃ）を用いて説明する。すなわち、以下に、放送受信時には、第１のメインクロックＸ１を用いるのではなく、第２のメインクロックＸ２を用いる必要があることについて説明する。
【００４３】
まず、仮に第１のメインクロックＸ１を用いた場合について説明する。
【００４４】
例えば、ＭＷの６２０ｋＨｚの放送信号を受信する場合において、第１のメインクロックＸ１が１０ＭＨｚとしたとき、第１のメインクロックＸ１の分周周波数（１／８）と分周周波数（１／１６）とが受信周波数に入ってくる。ＭＷの６２０ｋＨｚの放送信号を受信する場合、上述した式（４）から発信周波数ｆＶＣＯは、１３３０ｋＨｚとなり、このときの関係を図２（ａ）に示すとおりとなる。このときの、第１のメインクロックＸ１の分周周波数によるノイズ妨害の影響を以下の算出式を用いて検討する。ここで、図２（ａ）は、動作クロックを第１のメインクロックＸ１で固定した場合の状態を示すものである。
ｆＶＣＯ−ｆ１（１／８）＝０．０８ＭＨｚ＝８０ｋＨｚ
（ｆＶＣＯ×２）−ｆ１（１／４）＝０．１６ＭＨｚ＝１６０ｋＨｚ
ｆ１（１／１６）−０．６２＝０．００５ＭＨｚ＝５ｋＨｚ
この算出式により得られた５ｋＨｚは、可聴周波数であり、第１のメインクロックＸ１を使用してこの波長の放送信号を受信した場合、ノイズ妨害の影響を受けることを示す。ここで、可聴周波数は、２０Ｈｚ〜２０ｋＨｚの範囲のものをいう。
【００４５】
このように、放送受信時に、第１のメインクロックＸ１を使用すると、放送受信帯にクロックノイズが飛び込んでしまう。また、他の周波数の放送信号を受信する場合においても、他の分周周波数（１／ｎ）の影響によりノイズ妨害を受け、必ずクロックノイズが飛び込んでしまう。さらに、ＦＭ、ＴＶの帯域の放送信号を受信する場合、より多くの影響を受けノイズ妨害を受ける。
【００４６】
次に、第２のメインクロックＸ２を用いた場合について説明する。
【００４７】
上述の説明と同様に、例えば、ＭＷの６２０ｋＨｚの放送信号を受信する場合、上述した式（４）から発信周波数ｆＶＣＯは、１３３０ｋＨｚとなり、このときの関係を図２（ｂ）に示す。このとき、第２のメインクロックＸ２は、上述した式（１１）から１０．６４ＭＨｚである。このときの、第２のメインクロックＸ２の分周周波数によるノイズ妨害の影響を以下の算出式を用いて検討する。ここで、図２（ｂ）は、動作クロックとして第２のメインクロックＸ２を用いて変動した場合（ＶＣＯを活用した場合）の状態を示すものである。
ｆＶＣＯ−ｆ２（１／８）＝０ＭＨｚ
（ｆＶＣＯ×２）−ｆ２（１／４）＝０ＭＨｚ
ｆ２（１／１６）−０．６２＝０．０４５ＭＨｚ＝４５ｋＨｚ
この算出式により、可聴周波数の範囲から外れているので、第２のメインクロックＸ２を使用してこの波長（６２０ｋＨｚ）の放送信号を受信した場合、ノイズ妨害の影響を受けないことを示す。
【００４８】
次に、上述のときに発生していたｆ２（１／１６）の６６５ｋＨｚを受信した場合にどうなるかを検証してみると、この周波数に一番近いのは、６６０ｋＨｚと６７０ｋＨｚとであり（ともに５ｋＨｚのずれ）、例えば、６６０ｋＨｚを受信した場合で説明する。ＭＷの６６０ｋＨｚの放送信号を受信する場合、上述した式（４）から発信周波数ｆＶＣＯは、１４１０ｋＨｚとなり、このときの関係を図２（ｃ）に示す。このとき、第２のメインクロックＸ２は、上述した式（１１）から１１．２８ＭＨｚとなる。このときの、第２のメインクロックＸ２の分周周波数によるノイズ妨害の影響を以下の算出式を用いて検討する。ここで、図２（ｃ）は、動作クロックとして第２のメインクロックＸ２を用いて変動した場合であり、上述した図２（ｂ）のとき発生していたノイズ周波数近辺に受信周波数を変更した場合の状態を示すものである。
ｆＶＣＯ−ｆ２（１／８）＝０ＭＨｚ
（ｆＶＣＯ×２）−ｆ２（１／４）＝０ＭＨｚ
ｆ２（１／１６）−０．６６０＝０．０４５ＭＨｚ＝４５ｋＨｚ
この算出式により、可聴周波数の範囲から外れているので、第２のメインクロックＸ２を使用してこの波長（６６０ｋＨｚ）の放送信号を受信した場合でも、ノイズ妨害の影響を受けないことを示す。また、ＭＷの他の周波数及びＦＭ，ＴＶの帯域の放送信号を受信する場合においても、上述の６２０ｋＨｚ、６６０ｋＨｚの場合と同様に、ノイズ妨害の影響を受けることがない。
【００４９】
以上のように、本発明を適用した電子機器１は、第１のメインクロックを生成する第１のクロック回路１１と、ＰＬＬ２１で生成される受信用の基準周波数信号に基づいて、第２のメインクロックＸ２を生成する第２のクロック回路２２とを備え、メイン電子回路１０が状況に応じて第１又は第２のメインクロックＸ１，Ｘ２を切り換える構成により、メイン電子回路１０のクロックの影響により発生する受信される放送信号にノイズが発生してしまうことを防止でき、受信部の受信機能を損なうことなくメイン電子回路１０の処理速度を上昇させることができる。すなわち、本発明を適用した電子機器１は、記録再生等の機能に加えて、放送波受信機能を備え、これらの機能を制御するメイン電子回路１０の影響により、受信機能に影響を与えることなく良好に放送波を受信することを実現する。
【００５０】
また、本発明を適用した電子機器１は、放送波の受信時等における音量調整等のミューティングをかけられない状況においては、第２のクロック回路２２が受信用の基準周波数信号を分周又は逓倍することで得られる第２のメインクロックＸ２を用いることで、放送信号にノイズが発生してしまうことを防止することができる。
【００５１】
さらに、本発明を適用した電子機器１は、記録再生部３０のように、放送波受信機能以外の機能において、処理速度を向上させるため高いクロック数が必要となったときに、この影響による放送波受信機能が損なわれることを防止でき、良好な受信機能を有するとともに、放送波受信機能以外の機能における処理速度の向上を実現できる。
【００５２】
尚、上述の電子機器１では、ＭＷ、ＦＭ，ＴＶ等の放送波を受信するラジオ受信機能を有するものとして説明したが、これに限られるものではなく、例えば、画像情報を有する放送波等を受信する放送波受信機能を有するように構成してもよい。また、上述の電子機器１では、ＭＤに対して情報の記録及び／又は再生を行う記録再生機能を有するものとして説明したが、これに限られるものではなく、各種記録媒体に記録及び／又は再生を行う記録及び／又は再生部を有するように構成してもよく、例えば、受発信機能を有する携帯電話としての機能を有するように構成してもよい。
【図面の簡単な説明】
【００５３】
【図１】本発明を適用した電子機器の構成を示すブロック回路図である。
【図２】メイン電子回路の動作クロックと、受信する放送信号の周波数との関係により発生するノイズ妨害の影響について説明する図であり、（ａ）は、第１のメインクロックを使用して６２０ｋＨｚの放送信号を受信する場合を示す図であり、（ｂ）は、第２のメインクロックを使用して６２０ｋＨｚの放送信号を受信する場合を示す図であり、（ｃ）は、第２のメインクロックを使用して６６０ｋＨｚの放送信号を受信する場合を示す図である。
【符号の説明】
【００５４】
１  電子機器、  １０  メイン電子回路、  １１  第１のクロック回路、  １２  操作部、  １３  表示部、  １４  スピーカ、  ２０  受信部、  ２１  ＰＬＬ、  ２２  第２のクロック回路、  ２３  アンテナ、  ２４  第３のクロック回路、  ３０  記録再生部
【図１】
2007067577.tif 000003
【図２】
2007067577.tif 000004